(57)【要約】【課題】  印刷済みの印刷用紙の印刷面に接触する用紙ガイドへのインキの付着を極力防止することにより、印刷済みの印刷用紙の印刷面の汚れを防止する。【解決手段】  枚葉紙をその周面の吸引孔で吸引して減速させる用紙ガイドとしてのブレーキローラ７を備え、ブレーキローラ７の周面に水を付着させる水着け装置として、スポンジ等の吸水体９を有する水舟８が設けられている。【選択図】  図１
2005186329.tif 000002
【特許請求の範囲】
【請求項１】
印刷済みの印刷用紙の搬送経路に設けられて印刷用紙の印刷面に接触する用紙ガイドを備えた印刷機であって、用紙ガイドにおける前記印刷面との接触部分に水を付着させる水着け装置が設けられていることを特徴とする印刷機。
【請求項２】
用紙ガイドは印刷用紙の搬送に応じて搬送方向に沿って回転するローラであり、水着け装置は水を貯える水舟である請求項１記載の印刷機。
【請求項３】
水舟にはローラの周面に接するようにスポンジ等の吸水体が設けられている請求項２記載の印刷機。
【請求項４】
ローラは、印刷用紙としての枚葉紙をその周面の吸引孔で吸引して減速させるブレーキローラである請求項３記載の印刷機。
【発明の詳細な説明】
【技術分野】
【０００１】
本発明は、印刷済みの印刷用紙の搬送経路に設けられて印刷用紙の印刷面に接触する用紙ガイドを備えた印刷機に関する。
【背景技術】
【０００２】
一般に、印刷用紙として枚葉紙を使用する枚葉印刷機の排紙部には、排紙チェーンによって搬送されてきた印刷済みの枚葉紙を所定の排紙台に積層するために、排紙台の直前で枚葉紙を減速させるブレーキローラを備えている。該ブレーキローラは、その周面に吸引孔を有し、排紙チェーンのチェーングリッパから排紙台に向けて投下される枚葉紙を吸引孔を介して吸引し、枚葉紙を排紙台上に正確に落下させる。
【０００３】
【特許文献１】特開２００３−３１２９１９号公報
【発明の開示】
【発明が解決しようとする課題】
【０００４】
ところで、枚葉印刷機が両面印刷機である場合、ブレーキローラの周面が枚葉紙の印刷面に接触することとなる。そのため、先に搬送された枚葉紙の印刷面のインキがブレーキローラの周面に付着し、この付着したインキが以降の枚葉紙に付着してその印刷面に汚れが発生する場合がある。
【０００５】
かかる印刷面の汚れの問題は、両面印刷機におけるブレーキローラで発生しやすいが、搬送経路の他の箇所においても印刷済みの印刷用紙の印刷面に接触するものに共通して生じうる問題である。
【０００６】
それゆえに本発明は、上記従来の問題に鑑みてなされ、印刷済みの印刷用紙の印刷面に接触する用紙ガイドへのインキの付着を極力防止することにより、印刷済みの印刷用紙の印刷面の汚れを防止することを課題とする。
【課題を解決するための手段】
【０００７】
本発明は、上記課題を解決すべくなされたものであり、本発明に係る印刷機は、印刷済みの印刷用紙の搬送経路に設けられて印刷用紙の印刷面に接触する用紙ガイドを備えた印刷機であって、用紙ガイドにおける前記印刷面との接触部分に水を付着させる水着け装置が設けられていることを特徴とする。
【０００８】
該構成の印刷機にあっては、水着け装置が用紙ガイドに水を付着させる。インキは油性であるので水に対して反発する性質を持つ。従って、予め用紙ガイドにおける印刷面との接触部分に水が付着されていると、その接触部分の水と反発することによって印刷面のインキは用紙ガイドに付着しにくくなる。
【０００９】
特に、用紙ガイドが印刷用紙の搬送に応じて搬送方向に沿って回転するローラである場合には、水着け装置として水を貯える水舟を備えることが好ましい。ローラが回転すると水舟の水にローラの周面が接触して自動的に水が付着することになるので、水を付着させるための構造が簡単なもので済む。
【００１０】
また、水舟にはローラの周面に接するようにスポンジ等の吸水体が設けられていることが好ましい。スポンジ等の吸水体を介してローラの周面に水を付着させるので、付着する水の量のコントロールが容易となる。しかも、吸水体にローラの周面が接触しながら回転することになるので、仮にローラの周面にインキが付着していたとしてもそのインキを吸水体で除去することができる。
【００１１】
また更に、ローラは、印刷用紙としての枚葉紙をその周面の吸引孔で吸引して減速させるブレーキローラである場合には、吸引孔内に不要な水を吸引することが吸水体で抑制されるため、ブレーキローラに水を付着させる水着け装置には吸水体を有する水舟を備えたものを使用し、吸水体を介してブレーキローラの周面に水を付着させることが有効である。
【発明の効果】
【００１２】
以上のように、油性のインキが水と反発することを利用することによって用紙ガイドへのインキの付着を抑制でき、用紙ガイドに付着したインキが次の印刷用紙に付着して印刷面が汚れることを防止することができる。
【発明を実施するための最良の形態】
【００１３】
以下、本発明に係る印刷機の一実施形態について図１を参酌しつつ説明する。
本実施形態における印刷機は両面印刷機である。即ち、給紙部に近い上流側の一つあるいは複数の印刷ユニットで枚葉紙の裏面を印刷した後に表裏反転し、排紙部に近い下流側の一つあるいは複数の印刷ユニットで表面を印刷する構成となっている。このようにして下流側の印刷ユニットで表面が印刷された両面印刷済みの枚葉紙は、下流側の印刷ユニットの圧胴１から排紙部へと受け渡される。
【００１４】
排紙部は、圧胴１から印刷済みの枚葉紙を受け取って排紙台２まで搬送する無端状の排紙チェーン３を備えている。該排紙チェーン３は、互いに離間した上流側のスプロケット４と下流側のスプロケット５との間に巻装され駆動される。また、排紙チェーン３には、等間隔毎に排紙グリッパ６が設けられ、該排紙グリッパ６が圧胴１から枚葉紙を受け取る。該排紙グリッパ６は、枚葉紙の前端部を掴み、排紙チェーン３の送りにより排紙台２の上方直前まで来るとその位置で枚葉紙を離す。
【００１５】
そして、排紙台２の上方より僅かに上流側の位置には、排紙グリッパ６が離した枚葉紙を排紙台２上に正確に落下させて積層するために、枚葉紙のスピードを減速させるためのブレーキ手段としてのブレーキローラ７（真空車）が設けられている。該ブレーキローラ７は、送られてきた枚葉紙の下方に位置し、その周面には開口した複数の吸引孔を有し、該吸引孔で枚葉紙を吸引して減速させる。該ブレーキローラ７はそれ自体駆動されて枚葉紙の搬送方向と同じ方向に回転しているが、その周速度は、排紙チェーン３の搬送速度よりも遅く、例えば排紙チェーン３の搬送速度の略１／２に設定されている。
【００１６】
ところで、圧胴１からブレーキローラ７までの間は裏面が下側になるようにして枚葉紙は搬送されるので、ブレーキローラ７はその枚葉紙の裏面を吸引することになるが、両面印刷機であるため裏面も印刷面である。そこで、本実施形態においては、ブレーキローラ７の周面に水を付着させるための水舟８を備えている。また、水舟８には水が貯えられるが、その内側にはスポンジやフェルト等のように吸水性に優れて弾力性を有している吸水体が設けられている。そして、吸水体９は常にブレーキローラ７の周面に接触するように設定されている。従って、ブレーキローラ７が回転することによりその周面の全周に吸水体９を介して水が連続して付着する。
【００１７】
尚、ブレーキローラ７は枚葉紙の幅方向（ブレーキローラ７の軸線方向）に所定の間隔をおいて複数設けられている。従って、各ブレーキローラ７毎に独立した水舟８を複数配置することも可能であるが、本実施形態においては枚葉紙の幅方向に長い共通の水舟８を一つ配置している。
【００１８】
以上のように構成された両面印刷機の排紙部においては、水舟８によってブレーキローラ７の周面に水を付着させるので、油性のインキが水と反発してブレーキローラ７の周面に枚葉紙の裏面のインキが付着することが抑制される。また、水舟８を使用すると共にブレーキローラ７が一回転する毎に吸水体９に接触して吸水体９から水が自動的に補給されるので、ブレーキローラ７の周面の水が不足するということもない。更に、ブレーキローラ７は枚葉紙を吸引するものであるうえに枚葉紙の搬送速度とは異なる周速度でもって回転しているので、コロ等の単なるローラに比して特にインキが付着しやすいものであるが、水舟８によって予め水が周面に付着されているのでインキの付着を効果的に抑制することができるのである。しかも、吸水体９を介して水を周面に付着させる構成であるので、吸引孔の吸引動作によって吸引孔に不要な水を吸引するということも防止でき、適切な量の水を周面に過不足なく供給することができる。更に、仮にブレーキローラ７の周面にインキが付着したとしても、付着したインキは吸水体９で除去されるので、次の枚葉紙の裏面にそのインキが付着することを確実に防止することができる。特に、図１に示すように、吸水体９が所定厚を有する板状体であってその上面のエッジ９ａにブレーキローラ７の周面が接触するようにすれば、付着したインキをエッジ９ａによってより一層確実に除去することができ、ブレーキローラ７の回転によって吸水体９を水舟８の壁面に押し付けて吸水体９を安定化させることもできる。
【００１９】
尚、本実施形態ではブレーキローラ７に水を付着させるべく水舟８を設けたが、ブレーキローラ７以外のローラを対象としてもよい。例えば、図１のように排紙チェーン３に枚葉紙の幅方向に沿って伸びる軸１０が所定間隔毎に設けられ、その軸１０に枚葉紙の表面と接触するローラ１１（用紙ガイド）が回転自在に設けられている場合には、そのローラ１１に水を付着させるように水着け装置を備えてもよい。また、上流側のスプロケット４に枚葉紙の幅方向に沿って伸びる軸を周方向に間隔をおいて配設し、その軸に前記ローラを設けた場合にはそのローラに水を付着させてもよい。このように印刷済みの枚葉紙の搬送経路に設けられて枚葉紙の印刷面に接触することのある用紙ガイドに、水を付着させるものであれば、油性のインキが水に反発することを利用してインキの付着を防止することができる。
【００２０】
また、印刷機は両面印刷機に限られず片面のみを印刷するものであってもよい。更に、印刷用紙として枚葉紙を使用する枚葉印刷機について説明したが連続紙を使用する印刷機にも適用可能である。
【図面の簡単な説明】
【００２１】
【図１】本発明の一実施形態の印刷機の要部を示す正面図。
【符号の説明】
【００２２】
１…圧胴、２…排紙台、３…排紙チェーン、４，５…スプロケット、６…排紙グリッパ、７…ブレーキローラ（用紙ガイド）、８…水舟（水着け装置）、９…吸水体
【図１】
2005186329.tif 000003